(57)【要約】【課題】第１部材には係合部を具えた係合機構を配備すると共に、第２部材には前記係合部が係合／離脱すべき係合受け部を具えた係合受け機構を配備してなる係止装置において、逆方向の操作によっても第１部材から第２部材を取り外すことが可能な係止装置を提供する。【解決手段】本発明に係る係止装置において、係合機構は、２方向に押圧操作が可能な操作ノブ５と、該操作ノブ５に対して弾性復帰力を作用せしめるバネ６とを具え、操作ノブ５の押圧操作を解除した状態で、前記係合部が係合受け部に係合した係合位置に保持される一方、バネ６に抗して操作ノブ５を第１方向に押圧操作することによって前記係合部が係合受け部から離脱した第１離脱位置に移動し、バネ６に抗して操作ノブ５を第２方向に押圧操作することによって前記係合部が係合受け部から離脱した第２離脱位置に移動する。【選択図】図６
2007335131.tif 000002
【特許請求の範囲】
【請求項１】
第１部材に対して第２部材を着脱可能に係止するべく、第１部材には係合部を具えた係合機構を配備すると共に、第２部材には前記係合部が係合／離脱すべき係合受け部を具えた係合受け機構を配備した係止装置であって、前記係合機構は、互いに異なる２方向に押圧操作が可能な操作ノブ(５)と、該操作ノブ(５)に対して弾性復帰力を作用せしめるバネ(６)とを具え、操作ノブ(５)の押圧操作を解除した状態で、前記係合部が係合受け部に係合した係合位置に保持される一方、バネ(６)に抗して操作ノブ(５)を第１方向に押圧操作することによって前記係合部が係合受け部から離脱した第１離脱位置に移動し、バネ(６)に抗して操作ノブ(５)を第２方向に押圧操作することによって前記係合部が係合受け部から離脱した第２離脱位置に移動することを特徴とする係止装置。
【請求項２】
前記バネ(６)は、操作ノブ(５)を貫通する棒状バネであって、該棒状バネ(６)の両端が前記第１部材上に支持され、操作ノブ(５)から突出する棒状バネ(６)のアーム部(61)が前記係合部を形成し、前記第２部材には、棒状バネ(６)のアーム部(61)に係脱すべきフック片(８)が突設されて、前記係合受け部を形成している請求項１に記載の係止装置。
【請求項３】
操作ノブ(５)は、係合位置から第１離脱位置に向けて押圧操作することにより、操作ノブ(５)に形成した第１支点部(51)が第１部材に形成した当接受け部(15)に当接して、第１支点部(51)を中心として回動し、これに伴って棒状バネ(６)のアーム部(61)がフック片(８)から離脱し、係合位置から第２離脱位置に向けて押圧操作することにより、操作ノブ(５)に形成した第２支点部(52)が第１部材に形成した当接受け部(15)に当接して、第２支点部(52)を中心として回動し、これに伴って棒状バネ(６)のアーム部(61)がフック片(８)から離脱する請求項２に記載の係止装置。
【請求項４】
操作ノブ(５)の第１支点部(51)と第２支点部(52)は、棒状バネ(６)の貫通位置を挟んで両側に配備されている請求項３に記載の係止装置。
【請求項５】
操作ノブ(５)と第１部材との対向部には、操作ノブ(５)の過大な移動を阻止するためのストッパー機構が設けられている請求項１乃至請求項４の何れかに記載の係止装置。
【請求項６】
操作ノブ(５)には、第１方向又は第２方向の操作による移動に伴って、第２部材の端部を第１部材から離間する方向に押圧する押圧部が形成されている請求項１乃至請求項５の何れかに記載の係止装置。
【発明の詳細な説明】
【技術分野】
【０００１】
本発明は、第１部材に対して第２部材を着脱可能に係止するべく、第１部材に係合機構を配備すると共に、第２部材に係合受け機構を配備した係止装置に関するものである。
【背景技術】
【０００２】
折り畳み式の携帯電話機は、図９及び図１０に示す如く、操作側筐体(10)と表示側筐体(20)を具え、操作側筐体(10)の背面には、電池室(11)が凹設されて、該電池室(11)は電池蓋(40)によって覆われている。
操作側筐体(10)等の第１部材に電池蓋(40)等の第２部材を着脱可能に係止するべく、種々の係止装置が提案されている(例えば特許文献１、２参照)。
【０００３】
例えば図９及び図１０に示す携帯電話機においては、操作側筐体(10)に電池蓋(40)を着脱可能に係止するべく、操作側筐体(10)の背面には、電池室(11)に面して凹部(18)が形成され、該凹部(18)に、スライド片(60)と、該スライド片(60)を電池蓋(40)に向けて付勢するコイルバネ(62)とが設置される一方、電池蓋(40)には、スライド片(60)の端部が係脱すべき係合受け部(80)を形成している。
【０００４】
スライド片(60)は、コイルバネ(62)の付勢力を受けて、その端部が操作側筐体(10)の係合受け部(80)に係合し、これによって電池蓋(40)が操作側筐体(10)に保持されている。
この状態から図９に矢印で示す様に、スライド片(60)を電池蓋(40)から離間する方向にスライドさせることによって、スライド片(60)の係合受け部(80)との係合が解除され、電池蓋(40)の取り外しが可能となる。
【特許文献１】特開２００２−２１６７２９号公報［H01M2/10］
【特許文献２】特開平９−１８５６８８号公報［G06F17/00］
【発明の開示】
【発明が解決しようとする課題】
【０００５】
図９に示す係止装置においては、電池蓋(40)を取り外す際、スライド片(60)を電池蓋(40)から離間する一方向に押圧操作する必要があり、その逆方向に操作してもスライド片(60)は移動しない。
そこで従来は、図１０に示す如くスライド片(60)の表面に操作方向を示す矢印を表示することが行なわれている。
しかしながら、電池蓋(40)の取り外しは頻繁に行なうものではなく、ユーザはスライド片(60)の操作方向を覚えていないのが通常であるため、ユーザは、電池蓋(40)の取り外しの度にスライド片(60)の操作方向を確認する必要があり、煩雑である問題があった。
【０００６】
本発明の目的は、逆方向の操作によっても第１部材から第２部材を取り外すことが可能な係止装置を提供することである。
【課題を解決するための手段】
【０００７】
本発明に係る係止装置は、第１部材には係合部を具えた係合機構を配備すると共に、第２部材には前記係合部が係合／離脱すべき係合受け部を具えた係合受け機構を配備したものである。
前記係合機構は、互いに異なる２方向に押圧操作が可能な操作ノブ(５)と、該操作ノブ(５)に対して弾性復帰力を作用せしめるバネ(６)とを具え、操作ノブ(５)の押圧操作を解除した状態で、前記係合部が係合受け部に係合した係合位置に保持される一方、バネ(６)に抗して操作ノブ(５)を第１方向に押圧操作することによって前記係合部が係合受け部から離脱した第１離脱位置に移動し、バネ(６)に抗して操作ノブ(５)を第２方向に押圧操作することによって前記係合部が係合受け部から離脱した第２離脱位置に移動する。
【０００８】
具体的構成において、前記バネ(６)は、操作ノブ(５)を貫通する棒状バネであって、該棒状バネ(６)の両端が前記第１部材上に支持され、操作ノブ(５)から突出する棒状バネ(６)のアーム部(61)が前記係合部を形成し、前記第２部材には、棒状バネ(６)のアーム部(61)に係脱すべきフック片(８)が突設されて、前記係合受け部を形成している。
【０００９】
操作ノブ(５)は、係合位置から第１離脱位置に向けて押圧操作することにより、操作ノブ(５)に形成した第１支点部(51)が第１部材に形成した当接受け部(15)に当接して、第１支点部(51)を中心として回動し、これに伴って棒状バネ(６)のアーム部(61)がフック片(８)から離脱し、係合位置から第２離脱位置に向けて押圧操作することにより、操作ノブ(５)に形成した第２支点部(52)が第１部材に形成した当接受け部(15)に当接して、第２支点部(52)を中心として回動し、これに伴って棒状バネ(６)のアーム部(61)がフック片(８)から離脱する。
【発明の効果】
【００１０】
本発明に係る係止装置によれば、ユーザが操作ノブ(５)を第１方向と第２方向の何れの方向に操作したとしても、係合部が第１離脱位置若しくは第２離脱位置に移動して、係合部の係合受け部に対する係合が解除され、これによって第１部材から第２部材を取り外すことが出来る。
【発明を実施するための最良の形態】
【００１１】
以下、本発明を折り畳み式携帯電話機に実施した形態につき、図面に沿って具体的に説明する。
本発明に係る折り畳み式携帯電話機は、図１に示す如く、操作側筐体(１)と表示側筐体(２)をヒンジ機構(３)によって開閉可能に連結したものであって、図２に示す如く、操作側筐体(１)の背面には、電池室(11)が凹設され、該電池室(11)は、電池蓋(４)によって覆われている。
操作側筐体(１)の電池室(11)には、図３に示す様に電池(９)が収容される。
【００１２】
図１に示す電池蓋(４)は、ヒンジ機構(３)側の端部(以下、先端部という)と、該端部とは反対側の端部(以下、基端部という)にて、操作側筐体(１)と係合している。
即ち、図２に示す様に、電池蓋(４)の基端部には一対の突片(41)(41)が突設される一方、操作側筐体(１)には、電池室(11)に対向して、前記一対の突片(41)(41)が嵌入すべき一対の係止受け部(17)(17)が凹設されている。又、電池蓋(４)の先端部と操作側筐体(１)のヒンジ機構側の端部には、電池蓋(４)を操作側筐体(１)に着脱可能に係止する本発明の係止装置が配備されている。
【００１３】
本発明に係る係止装置は、操作側筐体(１)に設けた係合機構と、電池蓋(４)に設けた係合受け機構とから構成される。
前記係合機構は、操作ノブ(５)と、該操作ノブ(５)を貫通する棒状バネ(６)とから構成され、棒状バネ(６)の両端部が、操作側筐体(１)に形成された一対の座部(12)(12)上に押え板(７)(７)によって固定されている。ここで、棒状バネ(６)の両端部はそれぞれ押え板(７)により押さえられ、該押え板(７)に取り付けられたネジ(71)を操作側筐体(１)のネジ孔(13)にねじ込んで、押え板(７)を操作側筐体(１)に固定している。
これによって、棒状バネ(６)は両端固定梁となって、図３及び図４に示す様に、操作ノブ(５)から両側へ延びる左右一対のアーム部(61)(61)が係合部を形成している。
【００１４】
操作ノブ(５)は、図５に示す如く、その大部分が操作側筐体(１)に収容されて設置されており、図６に示す様に、操作側筐体(１)の背面から僅かに突出する操作部(50)と、棒状バネ(６)の貫通部を挟んで反対側に形成された第１支点部(51)と、操作部(50)と棒状バネ(６)の貫通部との間に形成された第２支点部(52)と、棒状バネ(６)の貫通部を挟んで操作部(50)とは反対側の端部に形成された凸部(53)と、図４の如く両側へ突出する一対のアーム部(54)(54)とを有している。
一方、操作側筐体(１)には、図６に示す如く、操作ノブ(５)の第１支点部(51)及び第２支点部(52)がそれぞれ当接すべき当接受け部(15)と、過大な操作力の作用によって操作ノブ(５)が過度に回転したときに該操作ノブ(５)の凸部(53)を受け止めて回転を阻止するストッパー(16)とが形成されている。
【００１５】
前記係合受け機構は、図２に示す如く、電池蓋(４)の先端部に操作側筐体(１)へ向けて突設した一対のフック片(８)(８)から構成され、図６に示す如く各フック片(８)の先端部に形成したフック部(81)が、棒状バネ(６)のアーム部(61)に対する係合受け部を形成している。
【００１６】
操作ノブ(５)に対する押圧操作を解除した状態では、図５及び図６に示す様に、操作ノブ(５)は、その背面が当接受け部(15)に当接した姿勢で保持されており、この状態で棒状バネ(６)のアーム部(61)が電池蓋(４)のフック片(８)のフック部(81)と係合している。
この様に、電池蓋(４)は、図２に示す突片(41)(41)が操作側筐体(１)の係止受け部(17)(17)に嵌入すると共に、図６に示すフック片(８)のフック部(81)に棒状バネ(６)のアーム部(61)が係合することにより、操作側筐体(１)に取り付けられている。
【００１７】
電池蓋(４)を取り外す際は、操作ノブ(５)の操作部(50)を、図７中の矢印Ｂで示す様に電池蓋(４)から離間させる方向に操作する。これによって、操作ノブ(５)は、第１支点部(51)が操作側筐体(１)の当接受け部(15)に当接し、第１支点部(51)を中心として反時計方向に回動する。
これに伴って、棒状バネ(６)が弾性変形し、アーム部(61)が矢印で示す様にフック片(８)のフック部(81)から離脱することになる。
この状態で電池蓋(４)を矢印Ｄの方向に持ち上げることによって、電池蓋(４)を操作側筐体(１)から取り外すことが出来る。
【００１８】
電池蓋(４)を取り外す際、操作ノブ(５) の操作部(50)を、図８中の矢印Ｃで示す様に電池蓋(４)へ接近させる方向に操作することも可能である。これによって、操作ノブ(５)は、第２支点部(52)が操作側筐体(１)の当接受け部(15)に当接し、第２支点部(52)を中心として時計方向に回動する。
これに伴って、棒状バネ(６)が弾性変形し、アーム部(61)が矢印で示す様にフック片(８)のフック部(81)から離脱することになる。
【００１９】
又、操作ノブ(５)の回転に伴って、該操作ノブ(５)に突設したアーム部(54)が電池蓋(４)の先端部を押し上げることになる。
この状態で電池蓋(４)を矢印Ｄの方向に持ち上げることによって、電池蓋(４)を操作側筐体(１)から取り外すことが出来る。
【００２０】
電池蓋(４)を持ち上げた後、操作ノブ(５)に対する押圧操作を解除すれば、棒状バネ(６)は弾性復帰し、その弾性復帰力によって操作ノブ(５)は元の位置と姿勢に戻ることになる。
【００２１】
電池蓋(４)を操作側筐体(１)に取り付けるときは、図２に示す突片(41)(41)を操作側筐体(１)の係止受け部(17)(17)に嵌入させた状態で、電池蓋(４)を操作側筐体(１)に向けて押圧する。これによって、図６に示すフック片(８)のフック部(81)のカム面が棒状バネ(６)のアーム部(61)を押圧して、棒状バネ(６)を弾性変形させる。
この結果、棒状バネ(６)のアーム部(61)がフック片(８)のフック部(81)に係合して、電池蓋(４)が操作側筐体(１)に保持されることになる。
【００２２】
本発明に折り畳み式携帯電話機によれば、ユーザが操作ノブ(５)を図７に示す第１方向と図８に示す第２方向の何れの方向に操作したとしても、棒状バネ(６)のアーム部(61)のフック片(８)に対する係合が解除されるので、ユーザは、操作ノブ(５)の操作方向を特別に意識することなく、操作ノブ(５)を何れか一方向に操作して、電池蓋(４)を操作側筐体(１)から取り外すことが出来る。
【００２３】
又、図７の如く操作ノブ(５)を第１方向に操作する場合、操作ノブ(５)に過大な操作力が作用したとしても、操作ノブ(５)の凸部(53)が操作側筐体(１)のストッパー(16)に当たってそれ以上の回転が阻止されるので、操作ノブ(５)が過度に回転して反転してしまう虞はない。
【００２４】
更に又、図８の如く操作ノブ(５)を第２方向に操作する場合は、操作ノブ(５)の回転に伴って、該操作ノブ(５)のアーム部(54)が電池蓋(４)の先端部を押し上げるので、ユーザは、電池蓋(４)を矢印Ｄの方向に容易に持ち上げることが出来る。
【００２５】
尚、本発明の各部構成は上記実施の形態に限らず、特許請求の範囲に記載の技術的範囲内で種々の変形が可能である。例えば本発明は、電池蓋(４)に電池(９)を一体化した携帯電話機に実施することも可能である。
【図面の簡単な説明】
【００２６】
【図１】本発明に係る折り畳み式携帯電話機の斜視図である。
【図２】操作側筐体から電池蓋及び操作ノブを分解した状態を示す斜視図である。
【図３】操作側筐体から電池蓋を取り外した状態を示す斜視図である。
【図４】図３のＡ部を拡大した斜視図である。
【図５】操作側筐体の要部を示す断面図である。
【図６】操作ノブの係止状態を示す拡大断面図である。
【図７】操作ノブの第１離脱状態を示す拡大断面図である。
【図８】操作ノブの第２離脱状態を示す拡大断面図である。
【図９】従来の折り畳み式携帯電話機の操作側筐体の要部を示す断面図である。
【図１０】従来の折り畳み式携帯電話機から電池蓋を取り外した状態を示す斜視図である。
【符号の説明】
【００２７】
(１)  操作側筐体
(２)  表示側筐体
(３)  ヒンジ機構
(４)  電池蓋
(５)  操作ノブ
(50)  操作部
(51)  第１支点部
(52)  第２支点部
(６)  棒状バネ
(61)  アーム部
(８)  フック片
(81)  フック部
【図１】
2007335131.tif 000003
【図２】
2007335131.tif 000004
【図３】
2007335131.tif 000005
【図４】
2007335131.tif 000006
【図５】
2007335131.tif 000007
【図６】
2007335131.tif 000008
【図７】
2007335131.tif 000009
【図８】
2007335131.tif 000010
【図９】
2007335131.tif 000011
【図１０】
2007335131.tif 000012